(57)【要約】【課題】信号出力先の接続された装置自体の稼働状態に関わらず、安定的に電源の供給を受けること。【解決手段】信号中継装置１３０は、第１の装置１１０が有し、かつ、当該第１の装置１１０が信号処理中に接続先へ電源を供給する第１の端子１１１と、当該第１の装置１１０が有し、かつ、当該信号処理中であるか否かにかかわらず第２の装置１２０へ電源を供給する第２の端子１１２とに接続され、外部から受信した信号１４６を第１の装置１１０へ送信する信号中継部１３１と、第１の装置１１０の信号処理の状態を監視する監視部１３２１と、監視部１３２１による監視結果１４４に応じて第１の端子１１１又は第２の端子１１２のいずれかを選択して、当該選択した端子から供給される電源を信号中継部１３１へ供給する電源切替部１３２２と、を備える。【選択図】図１
2014060582.tif 000002
【特許請求の範囲】
【請求項１】
第１の装置が有し、かつ、当該第１の装置が信号処理中に接続先へ電源を供給する第１の端子と、当該第１の装置が有し、かつ、当該信号処理中であるか否かにかかわらず第２の装置へ電源を供給する第２の端子とに接続され、
外部から受信した信号を前記第１の装置へ送信する信号中継部と、
前記第１の装置の信号処理の状態を監視する監視部と、
前記監視部による監視結果に応じて前記第１の端子又は前記第２の端子のいずれかを選択して、当該選択した端子から供給される電源を前記信号中継部へ供給する電源切替部と、
を備える信号中継装置。
【請求項２】
前記監視部は、
前記第１の装置から信号処理中に出力される信号の信号値が所定値以上であるか否かを判定し、
前記信号値が所定値以上である場合に、前記第１の端子を選択させる切替信号を前記監視結果として前記電源切替部へ出力し、
前記信号値が所定値未満である場合に、前記第２の端子を選択させる切替信号を前記監視結果として前記電源切替部へ出力し、
前記電源切替部は、
前記切替信号に基づいて前記第１の端子又は前記第２の端子のいずれかを選択する
請求項１に記載の信号中継装置。
【請求項３】
前記監視部は、前記第１の端子及び前記第２の端子とは異なる端子から出力される信号により、前記第１の装置の信号処理の状態を監視する
請求項２に記載の信号中継装置。
【請求項４】
前記監視部は、
前記信号値が所定値未満である場合に、信号受信待ちの状態へ遷移させるスタンバイ信号を前記信号中継部へさらに出力する
請求項２に記載の信号中継装置。
【請求項５】
前記監視部は、
前記第２の端子から供給される電源により動作する
請求項２に記載の信号中継装置。
【請求項６】
前記電源切替部から供給される電源を保持した上で前記信号中継部へ供給する安定回路をさらに備える
請求項１乃至５のいずれか１項に記載の信号中継装置。
【請求項７】
前記第１の端子又は前記第２の端子の少なくともいずれかに複数の端子が属し、
前記電源切替部は、前記選択した端子に属する全ての端子から供給される電源を前記信号中継部へ供給する
請求項１乃至６のいずれか１項に記載の信号中継装置。
【請求項８】
前記第１の端子は、ＵＳＢ（Ｕｎｉｖｅｒｓａｌ  Ｓｅｒｉａｌ  Ｂｕｓ）端子又はＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子の少なくともいずれかを含む
請求項１乃至７のいずれか１項に記載の信号中継装置。
【請求項９】
前記第２の装置は、無線信号を受信するアンテナ装置であり、
前記第２の端子は、前記第２の装置が前記無線信号を受信するための電源を常時、供給し、前記第２の装置が受信した信号を前記第１の装置に供給する
請求項１乃至８のいずれか１項に記載の信号中継装置。
【請求項１０】
第１の装置が有し、当該第１の装置が信号処理中に接続先へ電源供給が可能な第１の端子と、当該第１の装置が有し、前記第１の装置が信号処理中であるか否かにかかわらず第２の装置へ電源を供給する第２の端子とに接続され、
外部から受信した信号を前記第１の装置へ送信する信号中継部と、
前記第１の装置が信号処理中である場合に前記第１の端子を選択し、前記第１の装置が信号処理中でない場合に前記第２の端子を選択し、当該選択した端子から供給される電源を前記信号中継部へ供給する電源供給制御部と、
を備える信号中継装置。
【請求項１１】
前記電源供給制御部は、
前記第１の装置から信号処理中に出力される信号の信号値が所定値以上である場合に、当該第１の装置が信号処理中であると判定し、当該信号値が所定値未満である場合に、当該第１の装置が信号処理中でないと判定する
請求項１０に記載の信号中継装置。
【請求項１２】
前記電源供給制御部は、
前記第１の端子から供給される電源に基づいて当該第１の装置が信号処理中であるか否かを判定する
請求項１１に記載の信号中継装置。
【請求項１３】
前記電源供給制御部は、
前記第１の装置から信号処理中に出力される信号を監視する監視部と
前記監視部からの切替信号に応じて前記第１の端子又は前記第２の端子のいずれかを選択し、当該選択した端子から供給される電源を前記信号中継部へ供給する切替部とを備え、
前記監視部は、
前記第１の装置から出力される信号の信号値が所定値以上である場合に、前記第１の端子から供給される電源を選択させ、当該信号値が所定値未満である場合に、前記第２の端子から供給される電源を選択させるように前記切替信号を前記切替部へ出力する
請求項１１に記載の信号中継装置。
【請求項１４】
第１の装置が有し、当該第１の装置が信号処理中に接続先へ電源供給が可能な第１の端子と、当該第１の装置が有し、前記第１の装置が信号処理中であるか否かにかかわらず第２の装置へ電源を供給する第２の端子とに接続される信号中継装置への電源供給方法であって、
前記第１の装置が信号処理中である場合に前記第１の端子を選択し、
前記第１の装置が信号処理中でない場合に前記第２の端子を選択し、
前記選択した端子から供給される電源を前記信号中継装置へ供給する
電源供給方法。
【請求項１５】
前記第１の装置が信号処理中に出力される信号を監視し、
前記監視の結果、前記出力される信号の信号値が所定値以上である場合に前記第１の端子を選択し、当該信号値が所定値未満である場合に前記第２の端子を選択する
請求項１４に記載の電源供給方法。
【請求項１６】
前記第１の端子及び前記第２の端子とは異なる端子から出力される信号を監視する
請求項１５に記載の電源供給方法。
【発明の詳細な説明】
【技術分野】
【０００１】
本発明は、信号中継装置及び信号中継装置への電源供給方法に関し、例えば、信号を処理する装置から電源供給を受ける信号中継装置及び信号中継装置への電源供給方法に関する。
【背景技術】
【０００２】
サーバからの映像データを受信してＴＶに送るためのクライアントとして、ＴＶ等のＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子に直接接続するドングル型の製品がある。ドングル型の製品は、サーバとは無線ＬＡＮ（Ｌｏｃａｌ  Ａｒｅａ  Ｎｅｔｗｏｒｋ）で接続され、サーバとの通信やＴＶとの制御信号（ＣＥＣ（Ｃｏｎｓｕｍｅｒ  Ｅｌｅｃｔｒｏｎｉｃｓ  Ｃｏｎｔｒｏｌ）コマンド）をやり取りする。これにより、サーバから送られてきた映像をＴＶに表示すること、ＴＶ側からサーバへアクセスすること、又は、クライアントからＴＶを操作すること等が可能となる。また、クライアントが動作するための電源は、ＴＶが有するＵＳＢ（Ｕｎｉｖｅｒｓａｌ  Ｓｅｒｉａｌ  Ｂｕｓ）端子にＵＳＢコネクタを接続することで当該クライアントがＴＶから電源の供給を受けることができる。
【０００３】
ここで、特許文献１には、受信装置（シンク機器）に接続される送信装置（ソース機器）の電源回路の簡略化に関する技術が開示されている。当該ソース機器は、シンク機器から必要とする電圧値、電流値の電源の供給を受ける。特許文献１には、デジタルテレビ受像機等のシンク機器からセットトップボックス等に対する電源電圧の供給について開示している。これにより、セットトップボックスをはじめとする機器において、固有のＡＣ電源が不要となり得る。
【先行技術文献】
【特許文献】
【０００４】
【特許文献１】特開２００９−４４７０６号公報
【発明の概要】
【発明が解決しようとする課題】
【０００５】
しかしながら、ＴＶが有するＵＳＢ端子経由で電源が供給される方式の場合あるいは、特許文献１のように、シンク機器であるＴＶ受像機からソース機器であるセットトップボックス等へＨＤＭＩ端子経由で電源が供給される方式の場合、ＴＶ受像機の非動作時には、無線経由でセットトップボックス等を操作することができないという問題点がある。その理由は、ＴＶ受像機の非動作時（例えば、ＡＣ電源に接続され、かつ、画面に映像が表示されていない状態）には、ＵＳＢ端子又はＨＤＭＩ端子経由での電源供給がされないことが一般的であるためである。
【０００６】
その他の課題と新規な特徴は、本明細書の記述および添付図面から明らかになるであろう。
【課題を解決するための手段】
【０００７】
一実施の形態によれば、信号中継装置は、第１の装置の信号処理の状態を監視する監視部と、前記監視部による監視結果に応じて第１の端子又は第２の端子のいずれかを選択して、当該選択した端子から供給される電源を信号中継部へ供給する電源切替部と、を備えるものである。
【０００８】
他の実施の形態によれば、信号中継装置は、第１の装置が信号処理中である場合に第１の端子を選択し、第１の装置が信号処理中でない場合に第２の端子を選択し、当該選択した端子から供給される電源を信号中継部へ供給する電源供給制御部と、を備えるものである。
【０００９】
さらに、他の実施の形態によれば、電源供給方法は、第１の装置が信号処理中である場合に第１の端子を選択し、第１の装置が信号処理中でない場合に第２の端子を選択し、選択した端子から供給される電源を信号中継装置へ供給するものである。
【発明の効果】
【００１０】
前記一実施の形態によれば、信号出力先の接続された装置自体の稼働状態に関わらず、安定的に電源の供給を受けることができる。
【図面の簡単な説明】
【００１１】
【図１】本実施の形態１にかかる信号中継装置を含む全体構成を示すブロック図である。
【図２】本実施の形態１にかかる電源供給方法の処理の流れを示すフローチャートである。
【図３】本実施の形態２にかかる映像処理システムの構成を示すブロック図である。
【図４】本実施の形態２にかかるクライアント装置の構成を示すブロック図である。
【図５】本実施の形態２にかかる供給電源切替処理の流れを説明するためのフローチャートである。
【図６】本実施の形態２にかかる復帰処理の流れを説明するためのフローチャートである。
【図７】本実施の形態３にかかるクライアント装置の構成を示すブロック図である。
【図８】本実施の形態４にかかるクライアント装置の構成を示すブロック図である。
【図９】本実施の形態５にかかるクライアント装置の構成を示すブロック図である。
【図１０】本実施の形態６にかかるクライアント装置の構成を示すブロック図である。
【図１１】本実施の形態７にかかる映像処理システムの構成を示すブロック図である。
【図１２】本実施の形態７にかかるクライアント装置の構成を示すブロック図である。
【発明を実施するための形態】
【００１２】
＜実施の形態１＞
クライアント側からＴＶを操作する例としては、サーバから無線ＬＡＮを介するか、リモコン装置からの無線により、当該クライアントへ所定の制御コマンドを送信する場合がある。この場合、当該制御コマンドに基づいて、ＴＶの電源をオンさせ、当該ＴＶに表示される映像を当該クライアントがＴＶに接続されているＨＤＭＩ入力に切り替える、といった動作が挙げられる。この動作を行うためには、ＴＶが非動作状態（例えば、ＡＣ電源に接続され、かつ、画面に映像が表示されていない状態）であっても、クライアントはサーバ又はリモコンからの信号を受信及び動作可能な状態にしておく必要がある。
【００１３】
ここで、クライアントを動作させるための電源は、上述の通り、ＴＶのＵＳＢ端子から供給を受けることができる。しかし、ＵＳＢ端子の＋５Ｖは、ＴＶ動作中は供給されるが、非動作状態では供給されない。つまり、ＴＶのＵＳＢ端子を使用する場合、ＴＶが非動作時はＵＳＢ端子からの電源も供給されず、クライアントも停止状態になってしまう。よって、ＵＳＢ端子から電源供給を受ける場合には、ＴＶ非動作時にサーバやリモコンからの信号を受信可能なスタンバイ状態にすることができない。
【００１４】
そこで、ＴＶが非動作時でもクライアントが動作可能なように電力を供給するためには、例えば、ＴＶとは独立したＵＳＢ端子を持つ機器を用意する必要がある。但し、この場合には、ＴＶの状態とは無関係に常時電源供給が可能だが、その機器に対して電源を供給する設備やそれらの設置スペースが必要となる。または、別途、バッテリを搭載することも考えられる。しかし、この場合、バッテリの供給能力によって決められた時間しか駆動できないため、長時間スタンバイ状態でいることが不可能である。
【００１５】
そこで、本実施の形態１にかかる信号中継装置は、まず、第１の装置が有し、かつ、当該第１の装置が信号処理中に接続先へ電源を供給する第１の端子と、当該第１の装置が有し、かつ、当該信号処理中であるか否かにかかわらず第２の装置へ電源を供給する第２の端子とに接続されるものである。そして、当該信号中継装置は、外部から受信した信号を前記第１の装置へ送信する信号中継部と、前記第１の装置の信号処理の状態を監視する監視部と、前記監視部による監視結果に応じて前記第１の端子又は前記第２の端子のいずれかを選択して、当該選択した端子から供給される電源を前記信号中継部へ供給する電源切替部と、を備えるものである。
【００１６】
図１は、本実施の形態１にかかる信号中継装置１３０を含む全体構成を示すブロック図である。図１には、第１の装置１１０と、第２の装置１２０と、信号中継装置１３０とを含む。
【００１７】
第１の装置１１０は、外部から受け付けた信号１４７を処理する装置である。第１の装置１１０は、例えば、映像信号等のコンテンツデータを処理して画面に表示するコンテンツ表示装置である。コンテンツデータには、例えば、ＴＶ番組の放送データ、映画等の個別に配信されるデータ、衛星放送の受信データ又は記録メディアから再生される映像データ等が含まれる。そして、第１の装置１１０は、第１の端子１１１と第２の端子１１２とを有する。
【００１８】
第１の端子１１１は、第１の装置１１０が信号処理中に接続先へ電源１４２を供給することができる拡張端子である。第２の端子１１２は、第１の装置１１０における信号処理中であるか否かにかかわらず、後述する第２の装置１２０へ電源１４３を供給する端子である。
【００１９】
第２の装置１２０は、第１の装置１１０が有する第２の端子１１２と接続されている。第２の装置１２０は、第２の端子１１２から供給される電源１４３により動作する。
【００２０】
信号中継装置１３０は、第１の装置１１０が有する第１の端子１１１及び第２の端子１１２と接続されている。信号中継装置１３０は、信号中継部１３１と、電源供給制御部１３２とを備える。信号中継部１３１は、外部から受信した信号１４６を第１の装置１１０が受信可能な信号１４７に変換して送信する。電源供給制御部１３２は、第１の装置１１０が信号処理中である場合に第１の端子１１１を選択し、第１の装置１１０が信号処理中でない場合に第２の端子１１２を選択し、当該選択した端子から供給される電源１４２又は１４３を電源１４５として信号中継部１３１へ供給する。すなわち、電源供給制御部１３２は、監視部１３２１と、電源切替部１３２２とを備える。監視部１３２１は、第１の装置１１０の信号処理の状態１４１を監視する。ここで、信号処理の状態１４１は、第１の装置１１０が信号処理中か否かを示す信号であればよい。例えば、信号処理中に出力される信号、電源１４２又は処理対象の信号自体であってもよい。電源切替部１３２２は、監視部１３２１による監視結果１４４に応じて第１の端子１１１又は第２の端子１１２のいずれかを選択して、当該選択した端子から供給される電源１４２又は１４３を電源１４５として信号中継部１３１へ供給する。
【００２１】
図２は、本実施の形態１にかかる電源供給方法の処理の流れを示すフローチャートである。まず、監視部１３２１は、第１の装置１１０が信号処理中か否かを判定する（Ｓ１１）。そして、電源切替部１３２２は、第１の装置１１０が信号処理中である場合に第１の端子１１１を選択する（Ｓ１２）。一方、電源切替部１３２２は、第１の装置１１０が信号処理中でない場合に第２の端子１１２を選択する（Ｓ１３）。その後、電源切替部１３２２は、選択した端子から供給される電源１４５を信号中継部１３１へ供給する。
【００２２】
これにより、信号出力先の接続された装置（第１の装置１１０）自体の稼働状態に関わらず、信号中継装置１３０は安定的に電源の供給を受けることができる。
【００２３】
＜実施の形態２＞
本実施の形態２では、上述した実施の形態１の一実施例として映像処理システムについて説明する。図３は、本実施の形態２にかかる映像処理システム２００の構成を示すブロック図である。映像処理システム２００は、ＴＶ装置２１０と、クライアント装置２２０と、サーバ２３０と、リモコン２４０と、分配器２５０と、ＢＳアンテナ２６０とを備える。
【００２４】
ＴＶ装置２１０は、上述した第１の装置１１０の一実施例である。ＴＶ装置２１０は、ＨＤＭＩ端子２１１と、ＵＳＢ端子２１２と、ＢＳアンテナ端子２１３とを備える。ＴＶ装置２１０は、ＨＤＭＩ端子２１１、ＵＳＢ端子２１２又はＢＳアンテナ端子２１３から入力される映像信号等を処理して画面（不図示）に再生表示する。
【００２５】
ＨＤＭＩ端子２１１及びＵＳＢ端子２１２は、拡張端子であり、上述した第１の端子１１１の一例である。つまり、ＨＤＭＩ端子２１１及びＵＳＢ端子２１２は、ＴＶ装置２１０の稼働時、例えば、映像信号の再生処理中において、接続先であるクライアント装置２２０に対して信号を出力するものである。そして、出力される信号には電源も含まれる。具体的には、ＨＤＭＩ端子２１１は、クライアント装置２２０との間で、制御コマンドの送受信及び映像信号の受信等の信号３０１のやり取りを行う。また、ＵＳＢ端子２１２は、接続先であるクライアント装置２２０に電源３０２を供給する。そのため、本実施の形態２は、映像処理装置に適用可能である。
【００２６】
ＢＳアンテナ端子２１３は、上述した第２の端子１１２の一例である。また、ＢＳアンテナ端子２１３は、ＢＳアンテナ２６０がＢＳ放送電波を受信するための電源３０５を常時、供給する。つまり、ＢＳアンテナ端子２１３は、ＴＶ装置２１０が非稼働時つまり、映像信号を再生していない時であってもＢＳアンテナ２６０に対して電源３０５を供給し続ける。また、ＢＳアンテナ端子２１３は、ＢＳアンテナ２６０が受信したＢＳ放送電波に基づく信号を受け付けて、ＴＶ装置２１０に供給することができる。
【００２７】
また、ＢＳアンテナ２６０は、上述した第２の装置１２０の一例である。ＢＳアンテナ２６０は、無線信号であるＢＳ放送電波を受信し、ＴＶ装置２１０に出力するアンテナ装置である。ＢＳアンテナ２６０は、ＢＳアンテナ端子２１３から分配器２５０を経由して供給される電源３０７により動作し、ＢＳ放送電波を受信することができる。尚、ＢＳアンテナ２６０がＣＳアンテナである場合、ＢＳアンテナ端子２１３はＣＳアンテナ端子となるが、同様の構成となるため説明を省略する。
【００２８】
分配器２５０は、ＴＶ装置２１０のＢＳアンテナ端子２１３、クライアント装置２２０及びＢＳアンテナ２６０の間に接続される。そして、分配器２５０は、ＴＶ装置２１０のＢＳアンテナ端子２１３から出力されるＤＣ＋１５Ｖ電源３０５を、クライアント装置２２０とＢＳアンテナ２６０へ分岐出力する。つまり、分配器２５０は、ＢＳアンテナ端子２１３から供給される電源３０５を、クライアント装置２２０へ電源３０６として常時、供給する。
【００２９】
サーバ２３０は、クライアント装置２２０に対して、映像データや制御コマンドを無線信号３０３として送信する。映像データは、サーバ２３０内部に保持されているものか、インターネット等を介して受信したものであってもよい。また、制御コマンドは、クライアント装置２２０の操作をするものである。リモコン２４０は、クライアント装置２２０を操作する制御コマンドを無線信号３０４として送信する。
【００３０】
クライアント装置２２０は、上述した信号中継装置１３０の一実施例である。クライアント装置２２０は、ＴＶ装置２１０のＨＤＭＩ端子２１１と接続し、映像データの送信や制御コマンドの送受信を信号３０１により行う。また、クライアント装置２２０は、ＵＳＢ端子２１２又はＢＳアンテナ端子２１３から供給されるＤＣ電源を変換して動作する。そして、クライアント装置２２０は、サーバ２３０又はリモコン２４０から受信する制御信号により動作し、サーバ２３０から信号３０３により受信した映像データを信号３０１によりＨＤＭＩ端子２１１へ送信する。
【００３１】
図４は、本実施の形態２にかかるクライアント装置２２０の構成を示すブロック図である。クライアント装置２２０は、電源回路４０と、クライアント処理部４４とを備える。電源回路４０は、ＴＶ装置２１０のＵＳＢ端子２１２又はＢＳアンテナ端子２１３より供給されるＤＣ電源をクライアント処理部４４の電源として使用できるように電圧変換及び供給を行う機能と、クライアント処理部４４への電源供給をＵＳＢ端子２１２側から行うかＢＳアンテナ端子２１３側から行うかを切り替える機能を有する。
【００３２】
電源回路４０は、電圧変換回路４１及び４２と、電源供給制御部４３とを備える。電圧変換回路４１は、ＵＳＢ端子２１２からのＤＣ＋５Ｖの電源５０１を電源回路４０内及びクライアント処理部４４内で使用するために、電圧ＶＤＤ５０３に変換を行う。電圧変換回路４２は、ＢＳアンテナ端子２１３からのＤＣ＋１５Ｖの電源５０２を電圧ＶＤＤ５０４に変換する。
【００３３】
電源供給制御部４３は、切替回路４３１と、監視回路４３２と、安定回路４３３とを備える。切替回路４３１は、電圧変換回路４１及び４２から出力電圧を入力し、いずれか一方を選択して、電圧ＶＤＤ５０７として安定回路４３３へ出力する。監視回路４３２は、ＵＳＢ端子２１２からのＤＣ＋５Ｖの電源５０１の状態を監視して、ＴＶ装置２１０の状態が動作状態か停止状態かを判定する。そして、監視回路４３２は、判定結果（監視結果）を切替信号５０５として切替回路４３１へ出力する。併せて、監視回路４３２は、クライアント処理部４４へスタンバイ信号５０６を出力する。スタンバイ信号５０６は、クライアント処理部４４を無線信号５１０を受け付け可能な停止状態に遷移させるものである。安定回路４３３は、電源回路４０及びクライアント処理部４４へ電圧ＶＤＤ５０８を安定して供給するための回路である。これは、切替回路４３１の動作により、クライアント処理部４４への電圧供給源がＵＳＢ側のＶＤＤからＢＳ端子側のＶＤＤ（またはＢＳ端子側のＶＤＤからＵＳＢ側のＶＤＤ）に切替るような過渡状態において切替回路４３１から出力されるＶＤＤにノイズ等の電圧変動が発生し得るからである。安定回路４３３は、このような過渡状態における電圧変動の発生を抑制できる。安定回路４３３は、例えば、コンデンサや二次電池のような蓄電機能と定電圧出力機能を有する。
【００３４】
ここで、本実施の形態２にかかる電源供給制御部４３は、ＴＶ装置２１０から信号処理中に出力される信号の信号値が所定値以上である場合に、ＴＶ装置２１０が信号処理中であると判定し、当該信号値が所定値未満である場合に、ＴＶ装置２１０が信号処理中でないと判定するものである。言い換えると、電源供給制御部４３は、少なくとも切替回路４３１と、監視回路４３２とを備えれば良い。その場合、まず、監視回路４３２は、ＴＶ装置２１０から信号処理中に出力される信号の信号値が所定値以上であるか否かを判定する。そして、信号値が所定値以上である場合に、監視回路４３２は、ＵＳＢ端子２１２を選択させる切替信号５０５を監視結果として切替回路４３１へ出力する。一方、信号値が所定値未満である場合に、監視回路４３２は、ＢＳアンテナ端子２１３を選択させる切替信号５０５を監視結果として切替回路４３１へ出力する。そして、切替回路４３１は、切替信号５０５に基づいてＵＳＢ端子２１２又はＢＳアンテナ端子２１３のいずれかを選択する。このように、ＴＶ装置２１０の処理中に出力される信号の信号値を基準に電源の切替を行うことにより、信号処理の状態を的確に把握できる。
【００３５】
ここで、ＴＶ装置２１０の処理中に出力される信号とは、例えば、ＨＤＭＩ端子２１１又はＵＳＢ端子２１２のいずれかから出力される信号であればよい。ＨＤＭＩ端子２１１又はＵＳＢ端子２１２からは、上述した通り、ＴＶ装置２１０の稼働状態、例えば、映像信号の再生処理中には信号が出力されるが、ＴＶ装置２１０の停止状態、例えば、スタンバイ状態や電源ＯＦＦ時には、信号が出力されない。そこで、図４では、電源供給制御部４３は、ＵＳＢ端子２１２から供給される電源５０１に基づいてＴＶ装置２１０が信号処理中であるか否かを判定している。これにより、クライアント処理部４４を動作させるために必要な電源が供給されているか否かを直接的に判定できるため、適切なタイミングで切替えを行うことができる。
【００３６】
また、監視回路４３２は、信号値が所定値未満である場合に、信号受信待ちの状態へ遷移させるスタンバイ信号５０６をクライアント処理部４４へさらに出力することが望ましい。このスタンバイ信号５０６によりクライアント処理部４４は所定のスタンバイ状態に移行し、またクライアント装置２２０自体のスタンバイ状態であっても電源が供給されることにより、無線信号の受け付けが可能となる。それ故、スタンバイ状態のクライアント装置２２０からＴＶ装置２１０の電源ＯＮ等の制御が可能となる。
【００３７】
その上で、電源供給制御部４３は、切替回路４３１から供給される電源を保持した上でクライアント処理部４４へ供給する安定回路４３３をさらに備えるとよい。これにより、電源の切替時の過渡状態でも、クライアント処理部４４に対して安定して電源を供給できる。
【００３８】
また、上述した通り、本実施の形態２にかかるＢＳアンテナ２６０は、無線信号を受信するアンテナ装置であり、ＢＳアンテナ端子２１３は、ＢＳアンテナ２６０が無線信号を受信するための電源を常時、供給し、ＢＳアンテナ２６０が受信した信号をＴＶ装置２１０に供給するものである。そして、分配器２５０は、ＢＳアンテナ端子２１３から常時供給される電源３０５を分岐してクライアント装置２２０に出力する。ここで、ＴＶ装置２１０が信号処理中でない場合は、無線信号の受信用の電源は必要性が低い。そのため、ＢＳアンテナ２６０に接続されるＢＳアンテナ端子２１３からの電源を流用することで、効率的に電源を利用できる。
【００３９】
ここで、ＴＶ装置２１０が動作状態から停止状態に移行する場合の動作を、適宜、図５を用いて説明する。図５は、本実施の形態２にかかる供給電源切替処理の流れを説明するためのフローチャートである。尚、監視回路４３２には、予め電源の大きさを判定するための閾値が設定済みであるものとする。
【００４０】
まず、監視回路４３２は、ＵＳＢ端子２１２からの出力である電源５０１を監視する（Ｓ２１）。すなわち、電源供給制御部４３は、ＴＶ装置２１０が信号処理中に出力される信号を監視する。次に、監視回路４３２は、電源５０１が閾値未満であるか否かを判定する（Ｓ２２）。
【００４１】
ＴＶ装置２１０が動作している通常状態では、ＵＳＢ端子２１２からＤＣ＋５Ｖの電源５０１が供給されるので、電源回路４０はクライアント処理部４４への電源供給をＵＳＢ端子２１２のＤＣ＋５Ｖの電源５０１により行う。よってこの時は、ＢＳアンテナ端子２１３側からの電源供給は不要となるため、電源回路４０はＢＳアンテナ端子２１３側からの電源供給を停止している。例えば、ユーザがＴＶの視聴を終えてＴＶ装置２１０を停止状態にすると、ＵＳＢ端子２１２からＤＣ＋５Ｖの電源５０１も供給されなくなる。
【００４２】
そして、ステップＳ２１及びＳ２２により、監視回路４３２は、ＵＳＢ端子２１２から供給されるＤＣ＋５Ｖの供給電圧の低下又は停止を感知する。ステップＳ２２において電源５０１が閾値未満であると判定した場合、電源供給制御部４３は、ＢＳアンテナ端子２１３に切り替える（Ｓ２３）。具体的には、監視回路４３２は、ＢＳアンテナ端子２１３を選択させるための切替信号５０５を切替回路４３１へ出力する。切替回路４３１は、監視回路４３２からの切替信号５０５に応じてＶＤＤを電圧変換回路４１の出力から電圧変換回路４２からの出力に切り替える。ここで、ＵＳＢ端子２１２からの供給電圧低下から切替回路４３１が切り替え動作を完了するまでの期間は、切替回路４３１の出力電圧ＶＤＤ５０７が不安定な状態になる。しかし、安定回路４３３が持つ蓄電機能と定電圧出力機能により、その出力電圧は安定した値を保持する。尚、安定回路４３３の蓄電能力は、上記切替に要する期間に必要な電力を供給できる容量があれば十分である。そして、切替時に使用された電力は、切替終了後から次の切替動作が始まるまでの間に再充電される。
【００４３】
ステップＳ２３の後、切替回路４３１及び安定回路４３３は、ＢＳアンテナ端子２１３からの電源５０４を電圧ＶＤＤ５０７及び５０８としてクライアント処理部４４等へ供給する（Ｓ２５）。
【００４４】
併せて、監視回路４３２は、クライアント処理部４４へスタンバイ信号５０６をＯＮにして出力する（Ｓ２４）。クライアント処理部４４は、監視回路４３２からのスタンバイ信号５０６を検知すると、ＴＶ装置２１０が非動作状態であると判断し、スタンバイ状態へ移行する。スタンバイ状態においては、クライアント処理部４４は、ＴＶ装置２１０、サーバ２３０又はリモコン２４０からの起動信号を待つだけである。そのため、クライアント装置２２０は、起動信号を受け付けた場合に動作を開始するために必要な機能を残して休止状態となる。
【００４５】
図６は、本実施の形態２にかかる復帰処理の流れを説明するためのフローチャートである。まず、クライアント処理部４４は、外部からコマンド信号を受け付けたか否かを判定する（Ｓ３１）。そして、コマンド信号を受け付けたと判定した場合、クライアント処理部４４は、起動する（Ｓ３２）。具体的には、クライアント処理部４４は、スタンバイ状態でＴＶ装置２１０、サーバ２３０もしくはリモコン２４０のいずれかからの信号又は監視回路４３２からのスタンバイ信号の停止（ＯＦＦ）を受けると起動を開始する。
【００４６】
そして、クライアント処理部４４は、ＴＶ装置２１０へ起動コマンドを送信する（Ｓ３３）。つまり、クライアント処理部４４がサーバ２３０又はリモコン２４０から無線信号５１０を受けて、クライアント装置２２０が起動するときは、クライアント装置２２０の起動後にクライアント処理部４４からＴＶ装置２１０に対して制御コマンドを送出する。これにより、ＴＶ装置２１０の起動も可能となる。
【００４７】
次に、ＴＶ装置２１０が停止状態から動作状態に移行する場合について、図５を用いて説明する。ＴＶ装置２１０が起動すると、ＵＳＢ端子２１２からＤＣ＋５Ｖの電源５０１が供給され始める。そのため、ステップＳ２１及びＳ２２により、監視回路４３２は、電源５０１が閾値以上であると判定する。つまり、監視回路４３２は、ＵＳＢ端子２１２からのＤＣ＋５Ｖの電源５０１供給されたことを感知する。
【００４８】
そして、電源供給制御部４３は、ＵＳＢ端子２１２に切り替える（Ｓ２６）。すなわち、監視回路４３２は、ＶＤＤの供給源をＢＳアンテナ端子２１３側からＵＳＢ端子２１２側に切り替えるための切替信号５０５を切替回路４３１へ出力する。ステップＳ２６の後、切替回路４３１及び安定回路４３３は、ＵＳＢ端子２１２からの電源５０３を電圧ＶＤＤ５０７及び５０８としてクライアント処理部４４等へ供給する（Ｓ２８）。
【００４９】
そして、切替回路４３１は、切替信号５０５に応じて、ＶＤＤの供給源をＵＳＢ端子２１２側に切り替える。併せて、監視回路４３２は、クライアント処理部４４へ送出していたスタンバイ信号５０６を停止する（ＯＦＦにする）（Ｓ２７）。これにより、クライアント処理部４４は、監視回路４３２からのスタンバイ信号５０６の停止を感知し、通常動作を行うための起動を開始する。
【００５０】
このように、本実施の形態２では、ＴＶ装置２１０が非動作時でもクライアント装置２２０が待機状態でいるための電源をＴＶ装置２１０のＢＳアンテナ端子２１３から得るものである。これにより、新たに電源を供給する設備を設置する必要がなくなる。
【００５１】
また、ＢＳアンテナ端子２１３からの電源供給は、ＴＶ装置２１０が非動作時のみとすることで、ＢＳ放送受信時のＢＳアンテナ２６０への電源供給にも問題は生じない。
【００５２】
さらに、ＴＶ装置２１０が動作状態かどうかの判断は、ＵＳＢ端子２１２又はＨＤＭＩ端子２１１のＤＣ＋５Ｖの電源５０１を監視することにより行う。
【００５３】
ＴＶ装置２１０が非動作状態でもクライアント装置２２０がスタンバイ状態でいられることにより、クライアント装置２２０自身が起動し、クライアント装置２２０がＴＶ装置２１０を起動し、クライアント装置２２０からの制御でＴＶ装置２１０映像表示をＨＤＭＩ端子２１１への入力に切り替える、といった一連の動作が、簡単な操作で行うことも可能になる。
【００５４】
また、クライアント装置２２０に内蔵するソフトウェアのアップデートや、サーバ２３０から提供されるインフォメーションの受信なども無線ＬＡＮ経由で、ユーザがＴＶを視聴していない非動作状態あっても行うことが可能となる。
【００５５】
＜実施の形態３＞
本実施の形態３にかかる監視回路は、第２の端子から供給される電源により動作するものである。監視回路の必要電力は少ないため、ＢＳアンテナ端子２１３から電源供給を受けても、ＢＳアンテナ２６０によるＢＳ放送波の受信への影響は少なく、かつ、安定回路４３３の電源に余裕が生じるため、回路面積が縮小できる。
【００５６】
図７は、本実施の形態３にかかるクライアント装置２２０ａの構成を示すブロック図である。クライアント装置２２０ａ、電源回路４０ａ及び電源供給制御部４３ａは、上述したクライアント装置２２０、電源回路４０及び電源供給制御部４３の変形例である。図４との差異は、監視回路４３２が動作するための電源を安定回路４３３の出力から得る代わりに、電圧変換回路４２の出力である電圧ＶＤＤ５０４から得ている点である。その他、映像処理システム２００の構成は、上記実施の形態２にかかる図３と同等であるため、図示及び説明を省略する。
【００５７】
ここで、監視回路４３２は、ＵＳＢ端子２１２のＤＣ＋５Ｖの電圧を監視して、切替信号５０５及びスタンバイ信号５０６を出力する機能しかもっていない。そして、切替信号５０５及びスタンバイ信号５０６が変化するのはＴＶ装置２１０動作を開始又は終了する過渡期のみである。つまり、監視回路４３２は、通常状態での消費電力を非常に小さく作成することが可能である。そのため、監視回路４３２のみをＢＳアンテナ端子２１３側から常時給電としても、ＢＳアンテナ２６０の電波受信に影響は及ぼすことはない。
【００５８】
そこで、安定回路４３３からの電力供給対象から監視回路４３２が除外されることにより、安定回路４３３の供給能力に余裕が生じる。余裕が生じた分だけ安定回路４３３の供給能力を下げることも可能となり、回路面積の縮小にもつながる。
【００５９】
＜実施の形態４＞
本実施の形態４にかかる監視回路は、ＵＳＢ端子２１２及びＢＳアンテナ端子２１３とは異なる端子から出力される信号により、ＴＶ装置２１０の信号処理の状態を監視するものである。このように、監視先と供給元の信号が異なることにより、多様な信号値にも柔軟に対応し、電源自体を監視せずとも簡易な構成により監視回路を実現することができる。
【００６０】
図８は、本実施の形態４にかかるクライアント装置２２０ｂの構成を示すブロック図である。クライアント装置２２０ｂ、電源回路４０ｂ及び電源供給制御部４３ｂは、上述したクライアント装置２２０、電源回路４０及び電源供給制御部４３の変形例である。図４との差異は、監視回路４３２が監視するための信号をＨＤＭＩ端子２１１から出力される信号３０１とする点である。つまり、監視回路４３２の監視対象は電源自体である必要はなく、例えば、ＴＶ装置２１０の信号処理の状態を示す信号（例えば、二値の信号）を用いることも可能である。この場合、監視回路４３２は、電源自体を監視する必要がなくさらに簡易な構成を採用することが可能となる。その他、映像処理システム２００の構成は、上記実施の形態２にかかる図３と同等であるため、図示及び説明を省略する。
【００６１】
＜実施の形態５＞
本実施の形態５は、本実施の形態２の変形例であり、本実施の形態２との違いとして、ＵＳＢ端子２１２から供給される電源に代えて、ＨＤＭＩ端子２１１から出力される信号に基づく電源を監視及び供給に用いるものである。つまり、ＴＶ装置２１０の信号処理中にＨＤＭＩ端子２１１から電源の供給を受けることで、実施の形態２と同等の効果を奏するものである。
【００６２】
図９は、本実施の形態５にかかるクライアント装置２２０ｃの構成を示すブロック図である。クライアント装置２２０ｃ、電源回路４０ｃ及び電源供給制御部４３ｃは、上述したクライアント装置２２０、電源回路４０及び電源供給制御部４３の変形例である。図４との差異は、電圧変換回路４１に入力される電源及び監視回路４３２が監視するための信号をＨＤＭＩ端子２１１から出力される信号３０１とする点である。この場合、それ以外の構成を図４と同等にすることができる。その他、映像処理システム２００の構成は、上記実施の形態２にかかる図３と同等であるため、図示及び説明を省略する。
【００６３】
＜実施の形態６＞
上述した実施の形態２乃至５は、第１の端子又は第２の端子の少なくともいずれかに複数の端子が属するものであっても構わない。その場合、電源切替部は、選択した端子に属する全ての端子から供給される電源を信号中継部へ供給することで実現できる。そこで、本実施の形態６では、第１の端子としてＨＤＭＩ端子及びＵＳＢ端子が属するものとし、電源の供給元として第１の端子が選択された場合には、ＨＤＭＩ端子及びＵＳＢ端子の双方から出力される信号を用いて電源とするものである。このようにすることで、電源の供給元を複数にして冗長化を図ることができる。
【００６４】
図１０は、本実施の形態６にかかるクライアント装置２２０ｄの構成を示すブロック図である。クライアント装置２２０ｄ、電源回路４０ｄ及び電圧変換回路４１ａは、上述したクライアント装置２２０、電源回路４０及び電圧変換回路４１の変形例である。図４との差異は、電圧変換回路４１ａに入力される信号がＵＳＢ端子２１２からの電源５０１と、ＨＤＭＩ端子２１１からの信号５１１との２つとなっている点である。そのため、ＵＳＢ端子２１２及びＨＤＭＩ端子２１１の両方から十分な電源の供給を受けることができる。例えば、一方からの電源が少なくなったとしても、他方からの電源により補うことが可能となる。その他、映像処理システム２００の構成は、上記実施の形態２にかかる図３と同等であるため、図示及び説明を省略する。
【００６５】
＜実施の形態７＞
本実施の形態７は、上記実施の形態６と異なり、第２の端子としてＢＳアンテナ端子及びＣＳアンテナ端子が属するものとし、電源の供給元として第２の端子が選択された場合には、ＢＳアンテナ端子及びＣＳアンテナ端子の双方から出力される信号を用いて電源とするものである。このようにすることで、電源の供給元を複数にして冗長化を図ることができる。
【００６６】
図１１は、本実施の形態７にかかる映像処理システム２００ａの構成を示すブロック図である。映像処理システム２００ａは、図３からＴＶ装置２１０及びクライアント装置２２０がＴＶ装置２１０ａ及びクライアント装置２２０ｅに代わり、さらに、分配器２７０及びＣＳアンテナ２８０が追加されたものである。そして、ＴＶ装置２１０ａは、ＴＶ装置２１０の構成に加えさらに、ＣＳアンテナ端子２１３ａを有するものである。
【００６７】
ＣＳアンテナ端子２１３ａは、上述した第２の端子１１２の一例である。また、ＣＳアンテナ端子２１３ａは、ＴＶ装置２１０ａが非稼働時つまり、映像信号を再生していない時であってもＣＳアンテナ２８０に対して電源３０８を供給し続ける。また、ＣＳアンテナ端子２１３ａは、ＣＳアンテナ２８０が受信したＣＳ放送電波に基づく信号を受け付けて、ＴＶ装置２１０ａに供給することができる。そのため、ＣＳアンテナ端子２１３ａは、ＢＳアンテナ端子２１３と同様に第２の端子に属するものである。
【００６８】
また、ＣＳアンテナ２８０は、上述した第２の装置１２０の一例である。ＣＳアンテナ２８０は、無線信号であるＣＳ放送電波を受信し、ＴＶ装置２１０ａに出力するアンテナ装置である。ＣＳアンテナ２８０は、ＣＳアンテナ端子２１３ａから分配器２７０を経由して供給される電源３１０により動作し、ＣＳ放送電波を受信することができる。
【００６９】
分配器２７０は、ＴＶ装置２１０ａのＣＳアンテナ端子２１３ａ、クライアント装置２２０ｅ及びＣＳアンテナ２８０の間に接続される。そして、分配器２７０は、ＴＶ装置２１０ａのＣＳアンテナ端子２１３ａから出力されるＤＣ＋１５Ｖ電源３０８を、クライアント装置２２０ｅとＣＳアンテナ２８０へ分岐出力する。つまり、分配器２７０は、ＣＳアンテナ端子２１３ａから供給される電源３０８を、クライアント装置２２０ｅへ電源３０９として常時、供給する。
【００７０】
図１２は、本実施の形態７にかかるクライアント装置２２０ｅの構成を示すブロック図である。クライアント装置２２０ｅ、電源回路４０ｅ及び電圧変換回路４２ａは、上述したクライアント装置２２０、電源回路４０及び電圧変換回路４２の変形例である。図４との差異は、電圧変換回路４２ａに入力される信号がＢＳアンテナ端子２１３からの電源５０２と、ＣＳアンテナ端子２１３ａからの電源５１２との２つとなっている点である。そのため、ＢＳアンテナ端子２１３及びＣＳアンテナ端子２１３ａの両方から十分な電源の供給を受けることができる。例えば、一方からの電源が少なくなったとしても、他方からの電源により補うことが可能となる。
【００７１】
＜その他の実施の形態＞
上述した実施の形態１にかかる信号中継装置は、ＴＶ等の映像信号入力端子に接続してサーバから送られてくる映像データを受信し、ＴＶ等に表示するドングル型クライアント装置に適用できる。その場合、スタンバイ時の電源をＴＶのＢＳアンテナ端子から得るものとする。これにより、ＴＶが非動作時においても、クライアント装置がサーバ又はリモコンからの信号を受信して動作するスタンバイ状態を維持するための電力を得ることができ、ＴＶの動作状態に関わらず、安定して動作することができる。また、ＢＳアンテナ端子から電源を得るのは、ＴＶが非動作状態のみとすることで、ＢＳ視聴時のアンテナへの電力供給は問題なく行える。
【００７２】
また、上述した実施の形態１乃至７では、衛星放送とセットトップボックスからのコンテンツの視聴切替を行う際に、ＴＶの入力をＨＤＭＩにするかＢＳ放送にするか切り替えるだけで済むため、操作が容易になる。
【００７３】
その他、実施の形態に記載された内容の一部を以下に記載する。
信号中継装置は、第１の装置の稼働時に、当該第１の装置が有する拡張端子から供給される電源により動作し、当該第１の装置の非稼働時に、当該第１の装置が有し、かつ、当該第１の装置の稼働状態に関わらず第２の装置へ電源を供給する他の端子から供給される電源により動作し、外部から受信した信号を前記第１の装置へ送信する。これにより、信号出力先の接続された装置自体の稼働状態に関わらず、安定的に電源の供給を受けることができる。
【００７４】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【符号の説明】
【００７５】
１１０  第１の装置
１１１  第１の端子
１１２  第２の端子
１２０  第２の装置
１３０  信号中継装置
１３１  信号中継部
１３２  電源供給制御部
１３２１  監視部
１３２２  電源切替部
１４１  信号処理の状態
１４２  電源
１４３  電源
１４４  監視結果
１４５  電源
１４６  信号
１４７  信号
２００  映像処理システム
２００ａ  映像処理システム
２１０  ＴＶ装置
２１０ａ  ＴＶ装置
２１１  ＨＤＭＩ端子
２１２  ＵＳＢ端子
２１３  ＢＳアンテナ端子
２１３ａ  ＣＳアンテナ端子
２２０  クライアント装置
２２０ａ  クライアント装置
２２０ｂ  クライアント装置
２２０ｃ  クライアント装置
２２０ｄ  クライアント装置
２２０ｅ  クライアント装置
２３０  サーバ
２４０  リモコン
２５０  分配器
２６０  ＢＳアンテナ
２７０  分配器
２８０  ＣＳアンテナ
３０１  信号
３０２  電源
３０３  信号
３０４  無線信号
３０５  電源
３０６  電源
３０７  電源
３０８  電源
３０９  電源
３１０  電源
４０  電源回路
４０ａ  電源回路
４０ｂ  電源回路
４０ｃ  電源回路
４０ｄ  電源回路
４０ｅ  電源回路
４１  電圧変換回路
４１ａ  電圧変換回路
４２  電圧変換回路
４２ａ  電圧変換回路
４３  電源供給制御部
４３ａ  電源供給制御部
４３ｂ  電源供給制御部
４３ｃ  電源供給制御部
４３１  切替回路
４３２  監視回路
４３３  安定回路
４４  クライアント処理部
５０１  電源
５０２  電源
５０３  電圧ＶＤＤ
５０４  電圧ＶＤＤ
５０５  切替信号
５０６  スタンバイ信号
５０７  電圧ＶＤＤ
５０８  電圧ＶＤＤ
５０９  信号
５１０  無線信号
５１１  信号
５１２  電源
【図１】
2014060582.tif 000003
【図２】
2014060582.tif 000004
【図３】
2014060582.tif 000005
【図４】
2014060582.tif 000006
【図５】
2014060582.tif 000007
【図６】
2014060582.tif 000008
【図７】
2014060582.tif 000009
【図８】
2014060582.tif 000010
【図９】
2014060582.tif 000011
【図１０】
2014060582.tif 000012
【図１１】
2014060582.tif 000013
【図１２】
2014060582.tif 000014